(57)【要約】【課題】  長尺体の外周面上に跨設した長尺体係止部材を長尺体固定具本体に緊結することにより長尺体を固定する長尺体固定具につき、長尺体固定具本体に対する長尺体係止部材の緊結を様々な位置において行うことができるとともに、長尺体の固定と併せてケーブルの固定も行うことができ、かつ、長尺体を安定的に固定することができる長尺体固定具を提供する。【解決手段】  長尺体固定具１は、長尺体固定具本体２と、長尺体支持部材３と、Ｕ字型ボルト４と、座金５と、ナット６とから構成される。長尺体固定具本体２は、Ｕ字型ボルト４の両端部を挿通する孔部２ａが穿設されているとともに、ケーブルコネクタ８を挿通する孔部２ｂが穿設されている。長尺体支持部材３は、Ｕ字型ボルト４の両端部を挿通する一対の孔部３ａが穿設されているとともに、パイプ９を支持するための切欠部３ｂが設けられている。【選択図】      図２
0003170076.tif 000002
【実用新案登録請求の範囲】
【請求項１】
長尺体の外周面上に跨設した長尺体係止部材を長尺体固定具本体に緊結することにより長尺体を固定する長尺体固定具であって、該長尺体係止部材は長尺体の外周面上に跨設することができるアーチ型の係止部材であり、該長尺体固定具本体は縦断面形状がＬ字型の部材であって、該長尺体係止部材の両端部を挿通する一対の孔を水平面と垂直面とにそれぞれ穿設したことを特徴とする長尺体固定具。
【請求項２】
長尺体の外周面上に跨設した長尺体係止部材を長尺体固定具本体に緊結することにより長尺体を固定する長尺体固定具であって、該長尺体係止部材は長尺体の外周面上に跨設することができるアーチ型の係止部材であり、該長尺体固定具本体は縦断面形状がＬ字型の部材であって、該長尺体係止部材の両端部を挿通する一対の孔を水平面と垂直面とにそれぞれ穿設するとともに、ケーブルコネクタを取り付ける孔を水平面に穿設したことを特徴とする長尺体固定具。
【請求項３】
請求項１又は２に記載した長尺体固定具であって、更に長尺体支持部材を有しており、該長尺体支持部材は、縦断面形状がコの字型の部材であり、前記長尺体係止部材の両端部を挿通する一対の孔を垂直面に穿設するとともに、水平面には長尺体を支持する切欠部を設けたことを特徴とする長尺体固定具。
【請求項４】
長尺体の外周面上に跨設した長尺体係止部材を長尺体固定具本体に緊結することにより長尺体を固定する長尺体固定具であって、該長尺体係止部材は長尺体を収容する半筒状の収容部を有しているとともに、ボルトを挿通する孔を穿設し、長尺体固定具本体は該長尺体を収容する半筒状の収容部を有するとともに該長尺体と該長尺体係止部材とを立設する平面部を有しており、該長尺体係止部材を該平面部に立設した際に該長尺体係止部材に穿設されたボルト挿通孔に対応する箇所に雌螺子孔を穿設するとともに、該平面部にはケーブルコネクタを取り付ける孔を穿設したことを特徴とする長尺体固定具。
【考案の詳細な説明】
【技術分野】
【０００１】
本考案は、長尺体の外周面上に跨設した長尺体係止部材を長尺体固定具本体に緊結することにより長尺体を固定する長尺体固定具であって、丸棒等の各種の棒材及び丸パイプ等の各種の管材等の棒状部材を各種のベースに固定し、あるいはケーブル等の各種の線状部材を棒状部材に固定するための長尺体固定具に関するものである。
【背景技術】
【０００２】
従来、棒状部材をベースに固定する際には、例えば、両端部に雄螺子を設けたＵ字型ボルトを棒状部材の外周面上に跨らせ、該Ｕ字型ボルトの両端部を該ベースに穿設した孔に挿通し、該Ｕ字型ボルトの両端部にナットを嵌合して緊結することにより、該棒状部材を該ベースに固定することが行われてきたところである。
【先行技術文献】
【特許文献】
【０００３】
【特許文献１】実開昭５１−５９９６号公報
【特許文献２】特公昭６２−１９６３０号公報
【考案の概要】
【考案が解決しようとする課題】
【０００４】
しかしながら、まず、従来技術に係る長尺体の外周面上に跨設した長尺体係止部材を長尺体固定具本体に緊結することにより長尺体を固定する長尺体固定具は、該長尺体固定具本体に対する該長尺体係止部材の緊結を行う位置が限定的であったため、該長尺体固定具を多種多様な用途に用いることができなかった。そこで、本考案の第一の課題は、長尺体の外周面上に跨設した長尺体係止部材を長尺体固定具本体に緊結することにより長尺体を固定する長尺体固定具につき、長尺体固定具本体に対する長尺体係止部材の緊結を様々な位置において行うことができるようにして、多種多様な用途に用いることができる長尺体固定具を提供することにある。
【０００５】
また、例えば、長尺体をアンテナの支柱として家屋のベランダ又は自動車の屋根等に固定して設置することを希望する場合には、長尺体の固定と併せてアンテナ用の各種ケーブルの固定も行うことができるようにすると、アンテナの設置を簡素化することができ、好適である。そこで、本考案の第二の課題は、長尺体の外周面上に跨設した長尺体係止部材を長尺体固定具本体に緊結することにより長尺体を固定する長尺体固定具につき、長尺体の固定と併せてケーブルの固定も行うことができる長尺体固定具を提供することにある。
【０００６】
次に、長尺体の外周面上に跨設した長尺体係止部材を長尺体固定具本体に緊結しても、長尺体と長尺体固定具本体との間に隙間が生じていると、長尺体を安定的に固定することができず、長尺体が外れてしまうおそれがある。そこで、本考案の第三の課題は、長尺体の外周面上に跨設した長尺体係止部材を長尺体固定具本体に緊結することにより長尺体を固定する長尺体固定具につき、長尺体を安定的に固定することができる長尺体固定具を提供することにある。
【０００７】
更に、例えば、長尺体をアンテナの支柱として家屋のベランダ又は自動車の屋根等に固定して設置することを希望する場合には、該長尺体を安定的に立設する基台が別個に必要となるが、長尺体固定具と長尺体を立設する基台とを別個のものとして構成すると長尺体を立設する際の作業が煩雑となる。そこで、本考案の第四の課題は、長尺体の外周面上に跨設した長尺体係止部材を長尺体固定具本体に緊結することにより長尺体を固定する長尺体固定具につき、長尺体を立設する際の作業を簡素なものとすることができる長尺体固定具を提供することにある。
【課題を解決するための手段】
【０００８】
本考案の第一の課題を解決するため、請求項１に係る長尺体固定具は、長尺体の外周面上に跨設した長尺体係止部材を長尺体固定具本体に緊結することにより長尺体を固定する長尺体固定具であって、該長尺体係止部材は長尺体の外周面上に跨設することができるアーチ型の係止部材であり、該長尺体固定具本体は縦断面形状がＬ字型の部材であって、該長尺体係止部材の両端部を挿通する一対の孔を水平面と垂直面とにそれぞれ穿設したことを特徴とする長尺体固定具である。
【０００９】
本考案の第二の課題を解決するため、請求項２に係る長尺体固定具は、長尺体の外周面上に跨設した長尺体係止部材を長尺体固定具本体に緊結することにより長尺体を固定する長尺体固定具であって、該長尺体係止部材は長尺体の外周面上に跨設するアーチ型の係止部材であり、該長尺体固定具本体は縦断面形状がＬ字型の部材であって、該長尺体係止部材の両端部を挿通する一対の孔を水平面と垂直面とにそれぞれ穿設するとともに、ケーブルコネクタを取り付ける孔を水平面に穿設したことを特徴とする長尺体固定具である。
【００１０】
本考案の第三の課題を解決するため、請求項３に係る長尺体固定具は、請求項１又は２に記載した長尺体固定具であって、更に長尺体支持部材を有しており、該長尺体支持部材は、縦断面形状がコの字型の部材であり、前記長尺体係止部材の両端部を挿通する一対の孔を垂直面に穿設するとともに、水平面には長尺体を支持する切欠部を設けたことを特徴とする長尺体固定具である。
【００１１】
本考案の第四の課題を解決するため、請求項４に係る長尺体固定具は、長尺体の外周面上に跨設した長尺体係止部材を長尺体固定具本体に緊結することにより長尺体を固定する長尺体固定具であって、該長尺体係止部材は長尺体を収容する半筒状の収容部を有しているとともに、ボルトを挿通する孔を穿設し、長尺体固定具本体は該長尺体を収容する半筒状の収容部を有するとともに該長尺体と該長尺体係止部材とを立設する平面部を有しており、該長尺体係止部材を該平面部に立設した際に該長尺体係止部材に穿設されたボルト挿通孔に対応する箇所に雌螺子孔を穿設するとともに、該平面部にはケーブルコネクタを取り付ける孔を穿設したことを特徴とする長尺体固定具である。
【考案の効果】
【００１２】
請求項１から４までに記載した本考案に係る長尺体固定具は、上記の通りの構成であるから、以下のような効果を奏することができる。
【００１３】
まず、請求項１に記載した長尺体固定具は、前記長尺体固定具本体が縦断面形状Ｌ字型の部材であり、長尺体の外周面上に跨設するアーチ型の長尺体係止部材の両端部を挿通する一対の孔を水平面と垂直面とにそれぞれ穿設することを特徴とする長尺体固定具であるから、該水平面と該垂直面それぞれの両面に対して該長尺体係止部材の取付けを行うことができる。従って、請求項１に記載した長尺体固定具は、長尺体の外周面上に跨設した長尺体係止部材を長尺体固定具本体に緊結することにより長尺体を固定する長尺体固定具につき、長尺体固定具本体に対する長尺体係止部材の緊結を様々な位置において行うことができるようにして、多種多様な用途に用いることができる長尺体固定具を提供するという本考案の第一の課題を解決することができるのである。
【００１４】
次に、請求項２に記載した長尺体固定具は、ケーブルコネクタを取り付ける孔を前記長尺体固定具本体の水平面に穿設していることから、例えば、長尺体をアンテナの支柱として家屋のベランダ又は自動車の屋根等に固定して設置することを希望する場合には、長尺体を立設する基台に取り付けたケーブルコネクタを該水平面に穿設した孔部に挿通させながら該長尺体固定具本体を基台に設置し、該長尺体の内部にアンテナ用の各種ケーブルを挿通して、基台に取り付けられているケーブルコネクタに接続することが可能となる。従って、請求項２に記載した長尺体固定具は、長尺体の外周面上に跨設した長尺体係止部材を長尺体固定具本体に緊結することにより長尺体を固定する長尺体固定具につき、長尺体の固定と併せてケーブルの固定も行うことができる長尺体固定具を提供するという本考案の第二の課題を解決することができるのである。
【００１５】
また、請求項３に記載した長尺体固定具は、縦断面形状がコの字型の部材であって水平面には長尺体を支持するための切欠部が設けられている長尺体支持部材を備えていることから、長尺体と前記長尺体固定具本体との間に隙間を生じないようにして前記長尺体係止部材を該長尺体固定具本体に緊結することができ、長尺体を安定的に固定することができる。従って、請求項３に記載した長尺体固定具は、長尺体の外周面上に跨設した長尺体係止部材を長尺体固定具本体に緊結することにより長尺体を固定する長尺体固定具につき、長尺体を安定的に固定することができる長尺体固定具を提供するという本考案の第三の課題を解決することができるのである。
【００１６】
請求項４に記載した長尺体固定具は、長尺体係止部材は長尺体を収容する半筒状の収容部を有しているとともに、長尺体固定具本体は該長尺体を収容する半筒状の収容部を有するとともに該長尺体と該長尺体係止部材とを立設する平面部を有しており、長尺体固定具と長尺体を立設する基台とが一体的なものとして構成されていることから、長尺体固定具と長尺体を立設する基台とを別個のものとして構成した場合よりも、長尺体を立設する際の作業を簡素なものとすることができる。従って、請求項４に記載した長尺体固定具は、長尺体の外周面上に跨設した長尺体係止部材を長尺体固定具本体に緊結することにより長尺体を固定する長尺体固定具につき、長尺体を立設する際の作業を簡素なものとすることができる長尺体固定具を提供するという本考案の第四の課題を解決することができるのである。
【図面の簡単な説明】
【００１７】
【図１】本考案の第一実施形態に係る長尺体固定具の分解構造図である。
【図２】本考案の第一実施形態に係る長尺体固定具を使用して棒状部材をアンテナの支柱として基台に立設しようとする図である。
【図３】本考案の第一実施形態に係る長尺体固定具を使用して棒状部材をアンテナの支柱として基台に立設した状態を示した図である。
【図４】本考案の第一実施形態に係る長尺体固定具の分解構造図である。
【図５】本考案の第一実施形態に係る長尺体固定具を使用してケーブルを棒状部材に固定しようとする図である。
【図６】本考案の第一実施形態に係る長尺体固定具を使用してケーブルを棒状部材に固定した状態を示した図である。
【図７】本考案の第一実施形態に係る長尺体固定具を使用して棒状部材をカメラ用雲台の支柱としてカメラ用雲台とカメラ用三脚に固定した状態を示した図である。
【図８】本考案の第二実施形態に係る長尺体固定具の分解構造図である。
【図９】本考案の第二実施形態に係る長尺体固定具を使用して棒状部材をアンテナの支柱として立設しようとする図である。
【図１０】本考案の第二実施形態に係る長尺体固定具を使用して棒状部材をアンテナの支柱として立設した状態を示した図である。
【考案を実施するための形態】
【００１８】
まず、本考案の第一実施形態に係る長尺体固定具について、添付図面に基づいて説明する。
【００１９】
本考案の一実施形態に係る長尺体固定具１は、図１から７までに図示するように、長尺体固定具本体２と、長尺体支持部材３と、Ｕ字型ボルト４と、座金５と、ナット６とから構成される。
【００２０】
長尺体固定具本体２は、図１から７までに図示するように、縦断面形状がＬ字型の部材であり、Ｕ字型ボルト４の両端部を挿通する一対の小径の孔部２ａが水平面と垂直面にそれぞれ穿設されているとともに、ケーブルコネクタ８を挿通する大径の孔部２ｂが水平面の中央部に穿設されている。
【００２１】
長尺体支持部材３は、図１から７までに図示するように、縦断面形状がコの字型の部材であり、Ｕ字型ボルト４の両端部を挿通する一対の小径の孔部３ａが垂直面に穿設されているとともに、水平面にはパイプ９を支持するための半月状の切欠部３ｂが設けられている。
【００２２】
使用者は、まず、パイプ９をアンテナの支柱として基台７に立設することを希望する場合には、図１から３までに図示するように、長尺体固定具１を以下のようにして用いることができる。即ち、まず、基台７にケーブルコネクタ８を取り付け、孔部２ｂにケーブルコネクタ８を挿通させながら長尺体固定具本体２を基台７に設置する。次に、孔部２ａと孔部３ａとが重なるようにして長尺体固定具本体２の内側の垂直面に長尺体支持部材３の外側の垂直面を接しさせる。そして、同軸ケーブル１０をパイプ９内に挿通させて、基台７に取り付けられているケーブルコネクタ８に接続する。Ｕ字型ボルト４をパイプ９の外周面を跨がせて、Ｕ字型ボルト４の両端部を孔部３ａ及び孔部２ａに挿通させ、座金５とナット６をＵ字型ボルト４の両端部に嵌合して緊結する。
【００２３】
上記のような態様にて長尺体固定具１を使用することにより、パイプ９をアンテナの支柱として基台７に簡便に立設することができる。従って、長尺体固定具１を使用することにより、アンテナを設置する高さを簡便に調節することができ、好適である。
【００２４】
使用者は、また、アンテナの支柱として立設したパイプ９の外周面に同軸ケーブル１０を取り付けることを希望する場合には、図４から６までに図示するように、長尺体固定具１を以下のようにして用いることができる。即ち、まず、孔部２ａと孔部３ａとが重なるようにして長尺体固定具本体２の外側の垂直面に長尺体支持部材３の外側の垂直面を接しさせる。次に、Ｕ字型ボルト４をパイプ９の外周面を跨がせて、Ｕ字型ボルト４の両端部を孔部３ａ及び孔部２ａに挿通させ、座金５とナット６をＵ字型ボルト４の両端部に嵌合して緊結する。そして、孔部２ｂにケーブルコネクタ８を取り付けて、同軸ケーブル１０をケーブルコネクタ８に接続する。
【００２５】
上記のような態様にて長尺体固定具１を用いることにより、アンテナの支柱として立設したパイプ９の外周面に同軸ケーブル１０を簡便に固定することもでき、好適である。
【００２６】
長尺体固定具１には、上記のような使用方法以外にも、多様な使用方法が考えられるところである。即ち、例えば、使用者は、図７に図示するように、パイプ９をカメラ用雲台１２の支柱としてカメラ用三脚１１に立設することを希望する場合には、長尺体固定具１を用いてカメラ用三脚１１の上部にパイプ９を立設し、長尺体固定具１を用いてカメラ用雲台１２の下部にパイプ９を取り付けることができる。
【００２７】
上記のような態様にて長尺体固定具１を使用することにより、パイプ９をカメラ用雲台１２の支柱としてカメラ用三脚１１に簡便に立設することができる。従って、撮影者が自ら高所に上がって撮影する必要が無くなるため、高所からの撮影が容易となり、好適である。
【００２８】
以上が、本考案の第一実施形態に係る長尺体固定具についての説明である。次に、本考案の第二実施形態に係る長尺体固定具について、添付図面に基づいて説明する。
【００２９】
本考案の第二実施形態に係る長尺体固定具１は、図８から１０までに図示するように、長尺体立設台１３と、長尺体係止部材１４と、ボルト１５とから構成される。
【００３０】
長尺体立設台１３は、図８から１０までに図示するように、まず、略台形体状の部材であり、パイプ９を収容するための半円筒状の長尺体収容部１３ａを有するとともに、パイプ９と長尺体係止部材１４とを立設する突出した平面部１３ｂを有している。長尺体立設台１３は、また、長尺体係止部材１４を平面部１３ｂに立設した際に長尺体係止部材１４に穿設された雌螺子孔１４ｂに対応する箇所には雌螺子孔１３ｃが穿設されているとともに、平面部１３ｂにはケーブルコネクタ８が取り付けられている。
【００３１】
長尺体係止部材１４は、図８から１０までに図示するように、直方体状の部材であり、パイプ９を収容するための半円筒状の長尺体収容部１４ａを有するとともに、ボルト１５を挿通する雌螺子孔１４ｂが穿設されている。
【００３２】
使用者は、パイプ９をアンテナの支柱として長尺体立設台１３に立設することを希望する場合には、図８から１０までに図示するように、長尺体固定具１を以下のようにして用いることができる。即ち、まず、同軸ケーブル１０をパイプ９内に挿通させて、ケーブルコネクタ８に接続し、パイプ９の下部を長尺体収容部１３ａ内に収容するようにして平面部１３ｂ上に設置する。次に、長尺体収容部１４ａ内にパイプ９の下部を収容するようにして、長尺体係止部材１４を平面部１３ｂ上に設置する。そして、ボルト１５を雌螺子孔１４ｂ及び雌螺子孔１３ｃに嵌合して、長尺体係止部材１４を長尺体立設台１３に緊結する。
【００３３】
上記のような態様にて長尺体固定具１を使用することにより、例えば、家屋のベランダ又は自動車の屋根等にアンテナの支柱を固定する際に、アンテナの支柱を固定するための基台を別個に取り付ける必要が無くなるため、アンテナを簡便に設置することができ、好適である。
【符号の説明】
【００３４】
１  長尺体固定具
２  長尺体固定具本体
２ａ  孔部
２ｂ  孔部
３  長尺体支持部材
３ａ  孔部
３ｂ  切欠部
４  Ｕ字型ボルト
５  座金
６  ナット
７  基台
８  ケーブルコネクタ
９  パイプ
１０  同軸ケーブル
１１  カメラ用三脚
１２  カメラ用雲台
１３  長尺体立設台
１３ａ  長尺体収容部
１３ｂ  平面部
１３ｃ  雌螺子孔
１４  長尺体係止部材
１４ａ  長尺体収容部
１４ｂ  雌螺子孔
１５  ボルト
【図１】
0003170076.tif 000003
【図２】
0003170076.tif 000004
【図３】
0003170076.tif 000005
【図４】
0003170076.tif 000006
【図５】
0003170076.tif 000007
【図６】
0003170076.tif 000008
【図７】
0003170076.tif 000009
【図８】
0003170076.tif 000010
【図９】
0003170076.tif 000011
【図１０】
0003170076.tif 000012